【手続補正書】
【提出日】平成22年6月1日(2010.6.1)
【手続補正１】
【補正対象書類名】特許請求の範囲
【補正対象項目名】全文
【補正方法】変更
【補正の内容】
【特許請求の範囲】
【請求項１】
第１のトランシーバ（２０）によって適用される少なくとも１つの送信設定を適合させる方法であり、該第１のトランシーバ（２０）は、複数の物理チャネルレートをサポートする第１の通信規格に準拠して通信し、並びに、第２のトランシーバ（３０）による通信に応じて所定の周波数帯域で動作するように適合され、該第２のトランシーバ（３０）は、前記所定の周波数帯域で動作するように適合され、前記少なくとも１つの送信設定は、前記サポートされている複数の物理チャネルレートのそれぞれに対するフレーム交換時間に対応する、方法であって、
優先データトラフィックが前記第２のトランシーバ（３０）によって通信されたかどうかを判定するステップと、
前記第２のトランシーバによる通信がアクティブでない時間を判定するステップと、
優先データトラフィックが前記第２のトランシーバ（３０）によって通信される場合には、前記優先データトラフィックに応じて前記少なくとも１つの送信設定を適合させて、該適合された送信設定に対応する前記フレーム交換時間が、前記サポートされている複数の物理チャネルレートの中で最も長いフレーム交換時間を有する物理チャネルレートに対するアクティブでない時間以下となるようにする、ステップと、
を備えることを特徴とする方法。
【請求項２】
前記第１のトランシーバとエンドポイントとの間で伝送制御プロトコル（ＴＣＰ）接続を確立するステップをさらに備える
ことを特徴とする請求項１に記載の方法。
【請求項３】
優先データトラフィックが前記第２のトランシーバ（３０）によって通信される場合、前記優先データトラフィック用の少なくとも１つの送信パラメータを決定するステップをさらに備え、
前記適合させるステップは、前記決定した送信パラメータに応じて前記送信設定を適合させるステップを備える
ことを特徴とする請求項１に記載の方法。
【請求項４】
優先データトラフィックが通信されたと判定された場合、前記優先データトラフィックのデューティサイクルであって、前記優先データトラフィック用の送信パラメータであるデューティサイクルを決定するステップをさらに備え、
前記適合させるステップは、前記決定したデューティサイクルに応じて前記送信設定を適合させるステップを備える
ことを特徴とする請求項１に記載の方法。
【請求項５】
前記送信設定を適合させるステップは、前記第１のトランシーバ（２０）によって送信されるようにデータフレームのデータペイロードの最大許容サイズを適合させるステップを備えることを特徴とする請求項１に記載の方法。
【請求項６】
前記データペイロードの最大許容サイズを適合させる前記ステップは、伝送制御プロトコル（ＴＣＰ）の最大送信単位（ＭＴＵ）を適合させるステップを備える
ことを特徴とする請求項５に記載の方法。
【請求項７】
前記適合させるステップは、トランスポート接続を確立するためのネゴシエーション処理時に、任意の適合済みの送信設定を通信するステップを備えることを特徴とする請求項１に記載の方法。
【請求項８】
前記適合させるステップは、任意の適合済みの送信設定の情報と共に、前記第１のトランシーバ（２０）から、前記第１のトランシーバ（２０）が接続されている接続先のエンドポイントへメッセージを送信するステップを備える
ことを特徴とする請求項１に記載の方法。
【請求項９】
メッセージを送信する前記ステップは、最大送信単位（ＭＴＵ）のサイズ情報を含むインターネット制御管理（ＩＣＭＰ）エラーメッセージを送信するステップを備える
ことを特徴とする請求項８に記載の方法。
【請求項１０】
前記適合させるステップは、前記第２のトランシーバ（３０）による優先データトラフィックの開始、又は、優先データトラフィックのタイプの変更に応じて、前記第１のトランシーバ（２０）と、該第１のトランシーバ（２０）が接続されている接続先のエンドポイントとの間の接続を切断するステップと、前記第１のトランシーバ（２０）と前記エンドポイント（２）との間の接続を、任意の適合済みの送信設定を用いて確立するステップとを備えることを特徴とする請求項１に記載の方法。
【請求項１１】
無線通信装置（１）であって、
複数の物理チャネルをサポートする第１の通信規格に準拠して通信し、並びに、所定の周波数帯域で動作するように適合された第１のトランシーバ（２０）であって、前記プロセッサ（２１）を備える第１のトランシーバ（２０）と、
前記所定の周波数帯域で動作するように適合された第２のトランシーバ（３０）と、
を備え、
前記プロセッサ（２１）は、優先データトラフィックが前記第２のトランシーバ（３０）によって通信されたかどうかを判定し、並びに、前記第２のトランシーバによる通信のアクティブでない時間を判定するように適合され、
前記プロセッサ（２１）は、さらに、優先データトラフィックが前記第２のトランシーバ（３０）によって通信されたとき、前記優先データトラフィックに応じて前記第１のトランシーバ（２０）によって適用される少なくとも１つの送信設定を適合させるように適合され、
前記少なくとも１つの送信設定は、前記サポートされている複数の物理チャネルレートのそれぞれに対するフレーム交換時間に対応し、
前記プロセッサは、前記適合された送信設定に対応する前記フレーム交換時間が、前記サポートされている複数の物理チャネルレートの中で最も長いフレーム交換時間を有する物理チャネルレートに対するアクティブでない時間以下となるように、前記少なくとも１つの送信設定を適合させるように適合されている
ことを特徴とする無線通信装置（１）。
【請求項１２】
前記第１のトランシーバは、さらに、伝送制御プロトコル（ＴＣＰ）接続を介してエンドポイントと接続するように適合されている
ことを特徴とする請求項１１に記載の無線通信装置。
【請求項１３】
前記プロセッサ（２１）は、優先データトラフィックが前記第２のトランシーバ（３０）によって通信されたとき、前記優先データトラフィック用の少なくとも１つの送信パラメータを決定するように適合され、次いで、前記決定した送信パラメータに応じて前記送信設定を適合させるように適合されることを特徴とする請求項１１に記載の無線通信装置（１）。
【請求項１４】
前記プロセッサ（２１）は、優先データトラフィックが前記第２のトランシーバ（３０）によって通信されたとき、前記優先データトラフィックのデューティサイクルであって、前記優先データトラフィック用の送信パラメータであるデューティサイクルを決定するように適合され、次いで、前記決定したデューティサイクルに依存して、前記送信設定を適合させるように適合される、ことを特徴とする請求項１１に記載の無線通信装置（１）。
【請求項１５】
前記プロセッサ（２１）は、前記第１のトランシーバ（２０）により送信されるデータフレームのデータペイロードの最大許容サイズを適合させることによって、前記送信設定を適合させるように適合されることを特徴とする請求項１１に記載の無線通信装置（１）。
【請求項１６】
前記プロセッサは、伝送制御プロトコル（ＴＣＰ）の最大送信単位（ＭＴＵ）を適合させることによって、前記送信設定を適合させるように適合されている
ことを特徴とする請求項１５に記載の無線通信装置。
【請求項１７】
前記無線通信装置（１）は、携帯用またはハンドヘルド型の移動無線通信装置と、移動無線端末と、移動電話機と、ページャと、コミュニケータと、電子手帳と、スマートフォンとの少なくともいずれかであることを特徴とする請求項１１に記載の無線通信装置（１）。
【請求項１８】
第１のトランシーバ（２０）によって適用される少なくとも１つの送信設定を適合させるように構成されるコンピュータプログラムを格納したコンピュータ可読記録媒体であって、
該第１のトランシーバ（２０）は、複数の物理チャネルレートをサポートする第１の通信規格に準拠して通信し、並びに、第２のトランシーバ（３０）による通信に応じて、所定の周波数帯域で動作するように適合され、該第２のトランシーバ（３０）は前記所定の周波数帯域で動作するように適合され、前記少なくとも１つの送信設定は、前記サポートされている複数の物理チャネルレートのそれぞれに対するフレーム交換時間に対応し、
前記コンピュータプログラムは、
優先データトラフィックが前記第２のトランシーバ（３０）によって通信されたかどうかを判定するように構成されるコンピュータ可読プログラムコードと、
前記第２のトランシーバによる通信がアクティブでない時間を判定するように構成されるコンピュータ可読プログラムコードと、
優先データトラフィックが前記第２のトランシーバ（３０）によって通信された場合、前記優先データトラフィックに応じて前記少なくとも１つの送信設定を適合させて、該適合された送信設定に対応する前記フレーム交換時間が、前記サポートされている複数の物理チャネルレートの中で最も長いフレーム交換時間を有する物理チャネルレートに対するアクティブでない時間以下となるようにするように構成されるコンピュータ可読プログラムコードと、
を備えることを特徴とするコンピュータ可読記録媒体。
【請求項１９】
前記第１のトランシーバとエンドポイントとの間で伝送制御プロトコル（ＴＣＰ）接続を確立するように構成されるコンピュータ可読プログラムコードをさらに備える
ことを特徴とする請求項１８に記載のコンピュータ可読記録媒体。
【請求項２０】
優先データトラフィックが前記第２のトランシーバ（３０）によって通信される場合、前記優先データトラフィック用の少なくとも１つの送信パラメータを決定するように構成されるコンピュータ可読プログラムコードをさらに備え、
前記送信設定を適合させるように構成される前記コンピュータ可読プログラムコードは、前記送信設定を適合させる前記ステップを前記決定した送信パラメータに応じて実行する
ことを特徴とする請求項１８に記載のコンピュータ可読記録媒体。
【請求項２１】
優先データトラフィックが通信されたと判定された場合、前記優先データトラフィックのデューティサイクルであって、前記優先データトラフィック用の送信パラメータであるデューティサイクルを決定するように構成されるコンピュータ可読プログラムコードをさらに備え、
前記送信設定を適合させるように構成される前記コンピュータ可読プログラムコードは、前記送信設定を適合させる前記ステップを前記決定したデューティサイクルに応じて実行する
ことを特徴とする請求項１８に記載のコンピュータ可読記録媒体。
【請求項２２】
前記送信設定を適合させるように構成される前記コンピュータ可読プログラムコードは、前記第１のトランシーバ（２０）により送信されるデータフレームのデータペイロードの最大許容サイズを適合させるように構成されるコンピュータ可読コードを備えることを特徴とする請求項１８に記載のコンピュータ可読記録媒体。
【請求項２３】
データペイロードの最大許容サイズを適合させるように構成される前記コンピュータ可読プログラムコードは、伝送制御プロトコル（ＴＣＰ）の最大送信単位（ＭＴＵ）を適合させるように構成されたコンピュータ可読コードを備える
ことを特徴とする請求項２２に記載のコンピュータ可読記録媒体。
【請求項２４】
前記送信設定を適合させるように構成される前記コンピュータ可読プログラムコードは、トランスポート接続を確立するためのネゴシエーション処理時に、任意の送信設定を通信するように構成されるコンピュータ可読コードを備えることを特徴とする請求項１８に記載のコンピュータ可読記録媒体。
【請求項２５】
前記送信設定を適合させるように構成される前記コンピュータ可読プログラムコードは、任意の適合済みの送信設定の情報と共に、前記第１のトランシーバ（２０）から、前記第１のトランシーバが接続される接続先のエンドポイントへメッセージを送信するように構成されるコンピュータ可読コードを備えることを特徴とする請求項１８に記載のコンピュータ可読記録媒体。
【請求項２６】
メッセージを送信するように構成される前記コンピュータ可読プログラムコードは、最大送信単位（ＭＴＵ）のサイズ情報を含むインターネット制御管理（ＩＣＭＰ）エラーメッセージを送信するように構成されるコンピュータ可読コードを備える
ことを特徴とする請求項２５に記載のコンピュータ可読記録媒体。
【手続補正２】
【補正対象書類名】明細書
【補正対象項目名】発明の名称
【補正方法】変更
【補正の内容】
【発明の名称】送信設定を適合させるための方法、装置、及びコンピュータ可読記録媒体